(57)【要約】 【課題】  ユーザに対して情報配信を行う際に、無駄な情報配信を行うことのない情報配信装置および情報配信方法を提供することを目的とする。【解決手段】  情報配信装置１００における移動確率算出部１０５および移動先エリア抽出部１０６は、所定エリアに滞在している携帯端末２００の保持者であるユーザのユーザ属性を抽出し、抽出されたユーザ属性に基づいて、所定エリアから移動する可能性のある移動先エリアを抽出する。そして、エリア除外部１０７は、移動先エリア抽出部１０６により抽出された移動先エリアから、過去の滞在したことのあるエリアを除外し、レコメンド情報生成部１０８は除外後のエリアに対応するレコメンド情報を生成する。配信部１０９は、生成されたレコメンド情報を携帯端末２００に対して配信する。【選択図】  図２
2009118470.tif 000002
【特許請求の範囲】
【請求項１】
所定エリアに滞在している移動機のユーザ属性を抽出する属性抽出手段と、
前記属性抽出手段により抽出されたユーザ属性に基づいて、前記所定エリアから移動する可能性のある移動先エリアを抽出するエリア抽出手段と、
前記エリア抽出手段により抽出された移動先エリアに対応する全配信情報から前記移動機に対して配信済みの既配信情報が除外された配信情報を生成する生成手段と、
前記生成手段により生成された配信情報を配信する配信手段と、
を備える情報配信装置。
【請求項２】
前記エリア抽出手段により抽出された移動先エリアから、前記移動機が移動したことがある過去エリアまたは当該過去エリアに隣接する隣接エリアを除外する除外手段を備え、
前記生成手段は、前記除外手段により過去エリアまたは隣接エリアが除外されて得られた移動先エリアに対応する配信情報を生成することにより、前記既配信情報が除外された配信情報を生成することを特徴とする請求項１に記載の情報配信装置。
【請求項３】
前記除外手段は、前記移動機が予め定めた時間内に滞在したことのあるエリアを除外することを特徴とする請求項２に記載の情報配信装置。
【請求項４】
前記除外手段は、前記移動機の移動履歴において滞在したことのあるエリアのうち、直前所定数のエリアである直前エリアを除外することを特徴とする請求項２に記載の情報配信装置。
【請求項５】
前記属性抽出手段により抽出されたユーザ属性に基づいて、前記所定エリアから移動する可能性のある移動先エリアにおける移動確率を算出する算出手段をさらに備え、
前記生成手段は、前記算出手段により算出された移動確率にしたがって、配信情報を生成することを特徴とする請求項１から４のいずれか１項に記載の情報配信装置。
【請求項６】
前記算出手段は、ユーザ属性に加えて、さらに前記所定エリアまでの移動経路に基づいて前記所定エリアから移動する可能性のある移動先エリアにおける移動確率を算出することを特徴とする請求項５に記載の情報配信装置。
【請求項７】
所定エリアに滞在している移動機のユーザ属性を抽出する属性抽出ステップと、
前記属性抽出ステップにより抽出されたユーザ属性に基づいて、前記所定エリアから移動する可能性のある移動先エリアを抽出するエリア抽出ステップと、
前記エリア抽出ステップにより抽出された移動先エリアに対応する全配信情報から前記移動機に対して配信済みの既配信情報が除外された配信情報を生成する生成ステップと、
前記生成ステップにより生成された配信情報を配信する配信ステップと、
を備える情報配信方法。
【発明の詳細な説明】
【技術分野】
【０００１】
本発明は、ユーザ属性に基づいた情報を配信する情報配信装置および情報配信方法に関する。
【背景技術】
【０００２】
近年、広告情報などの情報を携帯端末に配信することが考えられている。例えば、下記特許文献１（特開２００４−２８７２９６号公報）には、ユーザが、広告媒体を閲覧するために閲覧可能エリアに滞在しているのか、他の目的で閲覧可能エリアに滞在しているのかが判断され、閲覧するために閲覧可能エリアに滞在していると判断される場合には、ユーザに広告媒体に関する詳細な情報が配信されることが記載されており、ユーザが所定のエリアにいる場合に、そのエリアに対応した所定の情報が配信されることが記載されている。
【特許文献１】特開２００４−２８７２９６号公報
【発明の開示】
【発明が解決しようとする課題】
【０００３】
しかしながら、ユーザが所定のエリアに何度も滞在した場合には、同じ情報を受け取ることになり、ユーザはわずらわしいと感じることがある。また、情報を配信する提供者にとっても、同じユーザに何度も同じ情報を送信することになり、無駄な情報配信を行うことになる。
【０００４】
そこで、上述の課題を解決するため、本発明は、ユーザに対して情報配信を行う際に、無駄な情報配信を行うことのない情報配信装置および情報配信方法を提供することを目的とする。
【課題を解決するための手段】
【０００５】
上述の課題を解決するために、本発明の情報配信装置は、所定エリアに滞在している移動機のユーザ属性を抽出する属性抽出手段と、前記属性抽出手段により抽出されたユーザ属性に基づいて、前記所定エリアから移動する可能性のある移動先エリアを抽出するエリア抽出手段と、前記エリア抽出手段により抽出された移動先エリアに対応する全配信情報から前記移動機に対して配信済みの既配信情報が除外された配信情報を生成する生成手段と、前記生成手段により生成された配信情報を配信する配信手段と、を備えている。
【０００６】
また、本発明の情報配信方法は、所定エリアに滞在している移動機のユーザ属性を抽出する属性抽出ステップと、前記属性抽出ステップにより抽出されたユーザ属性に基づいて、前記所定エリアから移動する可能性のある移動先エリアを抽出するエリア抽出ステップと、前記エリア抽出ステップにより抽出された移動先エリアに対応する全配信情報から前記移動機に対して配信済みの既配信情報が除外された配信情報を生成する生成ステップと、前記生成ステップにより生成された配信情報を配信する配信ステップと、を備えている。
【０００７】
この発明によれば、所定エリアに滞在している移動機のユーザ属性を抽出し、抽出されたユーザ属性に基づいて、所定エリアから移動する可能性のある移動先エリアを抽出する。そして、抽出された移動先エリアに対応する全配信情報から移動機に対して配信済みの既配信情報を除外して生成された配信情報を配信する。これにより、配信先となる移動機が移動先エリアに行ったことがあるなど、すでに配信情報を受け取った場合には同じ配信情報を受け取ることがなくなり、重複した配信情報を何度も得るなどの無駄なことを防止することができる。
【０００８】
また、本発明の情報配信装置は、前記エリア抽出手段により抽出された移動先エリアから、前記移動機が移動したことがある過去エリアまたは当該過去エリアに隣接する隣接エリアを除外する除外手段を備え、前記生成手段は、前記除外手段により過去エリアまたは隣接エリアが除外されて得られた移動先エリアに対応する配信情報を生成することにより、前記既配信情報が除外された配信情報を生成することが好ましい。
【０００９】
この発明によれば、抽出された移動先エリアから、移動機が移動したことがある過去エリアまたは隣接エリアを除外し、除外されて得られた移動先エリアに対応する配信情報を生成することにより、前記既配信情報が除外された配信情報を生成する。これにより、一度滞在したことがあるエリアに対応する配信情報を受け取ることがなく、重複した配信情報を受けることがなくなる。
【００１０】
また、本発明の情報配信装置において、前記除外手段は、前記移動機が予め定めた時間内に滞在したことのあるエリアを除外することが好ましい。
【００１１】
この発明によれば、移動機が予め定めた時間内に滞在したことのあるエリアを除外することにより、移動機において重複した配信情報を受け取ることを効率的に防止することができる。すなわち、配信情報は時間経過とともに更新されるものであるため、直前に滞在したことがあるエリアに対応する配信情報はすでに受け取っている可能性が高い。逆にある程度時間が経過した場合には配信情報は更新され、その内容が変わっている場合がある。その場合には、移動機においては配信情報を受けることが好ましいため、所定時間内にいたことのあるエリアに対応する配信情報を配信しないようにする。
【００１２】
また、本発明の情報配信装置において、前記除外手段は、前記移動機の移動履歴において滞在したことのあるエリアのうち、直前所定数のエリアである直前エリアを除外することが好ましい。
【００１３】
この発明によれば、移動機が滞在したことのあるエリアを除外することにより、移動機において重複した配信情報を受け取ることを効率的に防止することができる。
【００１４】
また、本発明の情報配信装置は、前記属性抽出手段により抽出されたユーザ属性に基づいて、前記所定エリアから移動する可能性のある移動先エリアにおける移動確率を算出する算出手段をさらに備え、前記生成手段は、前記算出手段により算出された移動確率にしたがって、配信情報を生成することが好ましい。
【００１５】
この発明によれば、めりはりのつけた配信情報を生成することで、ユーザにとって有効な情報を少ない情報量で効率的に生成することができる。例えば、算出された移動確率が所定値以上である場合には、移動する確率が高いと考えることができ、より詳細な情報をユーザに提供することができるように詳細な配信情報を生成する。移動確率が所定値未満である場合には、移動確率がそれほど高くないと考えることができ、配信情報のタイトル、見出しなどの簡易な情報のみを生成する。
【００１６】
また、本発明の情報配信装置において、前記算出手段は、ユーザ属性に加えて、さらに前記所定エリアまでの移動経路に基づいて前記所定エリアから移動する可能性のある移動先エリアにおける移動確率を算出することが好ましい。
【００１７】
この発明によれば、所定エリアまでの移動経路に基づいて移動先エリアを判断することで、より適切な移動先エリアを判断することができ、よってより正確な移動確率を算出することができる。
【発明の効果】
【００１８】
本発明によれば、配信先となる移動機が移動先エリアに行ったことがあるなど、すでに配信情報を受け取った場合には同じ配信情報を受け取ることがなくなり、重複した配信情報をユーザは何度も受け取るなどの無駄なことを防止することができる。
【発明を実施するための最良の形態】
【００１９】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００２０】
図１は、本実施形態の情報配信装置１００を含んだ通信システムのシステム構成を示すブロック図である。図１に示すように、情報配信装置１００は、携帯端末２００と移動通信網を介して通信接続している。そして、情報配信装置１００は、携帯端末２００の位置情報を受信し、その位置情報に対応したレコメンド情報を配信する。レコメンド情報（配信情報）としては、例えば、そのエリアの案内を示す案内情報であったり、エリアの店舗の広告である広告情報であったり、その他、ユーザに利益のあるレコメンド情報などがあげられる。この携帯端末２００は、ＧＰＳ機能により位置情報を取得し、情報配信装置１００に対してその位置情報を送信することができるものである。なお、ＧＰＳ機能に以外にも、滞在しているセル情報（基地局の情報）などを位置情報として送信するようにしてもよい。以下、情報配信装置１００の詳細な構成について説明する。
【００２１】
図２は、本実施形態の情報配信装置１００の構成を示すブロック図である。この情報配信装置１００は、滞在エリア受信部１０１、エリア情報記憶部１０２、位置情報記憶部１０３、属性情報記憶部１０４、移動確率算出部１０５（属性抽出手段、算出手段）、移動先エリア抽出部１０６（エリア抽出手段）、エリア除外部１０７（除外手段）、レコメンド情報生成部１０８(生成手段)、および配信部１０９（配信手段）を含んで構成されている。
【００２２】
図３は、情報配信装置１００のハードウェア構成図である。図２に示される情報配信装置１００は、物理的には、図３に示すように、ＣＰＵ１１、主記憶装置であるＲＡＭ１２及びＲＯＭ１３、ハードディスク等の補助記憶装置１５、入力デバイスであるキーボード及びマウス等の入力装置１４、ディスプレイ等の出力装置１５、ネットワークカード等のデータ送受信デバイスである通信モジュール１６などを含むコンピュータシステムとして構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図２に示す機能ブロックに基づいて、各機能ブロックを説明する。
【００２３】
滞在エリア受信部１０１は、携帯端末２００から位置情報を、当該携帯端末２００を特定する識別情報であるユーザＩＤとともに受信する部分である。
【００２４】
エリア情報記憶部１０２は、情報提供者によって定義されたエリアと位置情報とを対応付けて記憶する部分である。例えば、エリア情報記憶部１０２には、図４に示すように、定義されたエリアを示すエリア番号と位置情報（緯度、経度）とが対応付けて記憶されている。なお、緯度、経度が逐一記憶されている形式に限定するものではなく、エリアの範囲を特定することができる情報であればよい。例えば、中心位置とその半径とを記憶しておくことにより、位置情報からエリアを特定することができる。
【００２５】
位置情報記憶部１０３は、滞在エリア受信部１０１により受信された位置情報を携帯端末２００ごとに区別して、その位置情報の測定時刻に対応付けて記憶する部分である。図５にその具体例を示す。図５に示すように、位置情報記憶部１０３は、携帯端末２００を示すユーザＩＤ、位置情報（緯度、経度）、誤差情報、測定時刻が対応付けて記憶されており、ユーザの移動履歴が記憶されることになる。なお、誤差情報とは、携帯端末２００で測定した位置情報の誤差を示す情報であって、携帯端末２００において取得される情報である。また、同様に測定情報は、携帯端末２００において位置測定が行われた時刻であり、携帯端末２００から受信された情報である。
【００２６】
属性情報記憶部１０４は、携帯端末２００のユーザを特定するユーザＩＤ、性別、年齢層、居住地、および一緒に居る相手などの属性情報が記憶されている。これら属性情報は、携帯端末２００のユーザによって予め登録されている情報である。例えば、図６に示される属性情報が、属性情報記憶部１０４に記憶されている。図６に示されるように、属性情報はユーザＩＤに対応付けて性別、年齢層、居住地、一緒に居る相手などが記憶されている。なお、これら情報のほか嗜好、職業なども記憶させるようにしてもよい。
【００２７】
移動確率算出部１０５は、一のユーザ（携帯端末２００）がある所定のエリアに滞在したときに、つぎに移動する移動先エリアの移動確率を算出する部分であり、エリア情報記憶部１０２に記憶されているエリア情報、位置情報記憶部１０３に記憶されている位置情報、および属性情報記憶部１０４に記憶されている属性情報に基づいて、携帯端末２００における所定のエリアからの移動先である各移動先エリアの移動確率を算出する。
【００２８】
より具体的には、移動確率算出部１０５は、滞在エリア受信部１０１により一のユーザ（携帯端末２００）の位置情報が受信されると、属性情報記憶部１０４に記憶されている属性情報に基づいて、一のユーザのユーザＩＤに対応する属性情報を抽出し、その属性情報と一致する属性情報または一部一致する属性情報に属している他のユーザの移動先エリアを抽出する。そして、移動確率算出部１０５は、移動先エリアを抽出する際には、位置情報記憶部１０３に記憶されている位置情報およびエリア情報記憶部１０２に記憶されているエリア情報にしたがって、位置情報からエリアを特定し、移動先エリアへの移動頻度を計数する。そして、移動確率算出部１０５は、抽出された各移動先エリアの移動頻度を総抽出数で除算することで、各移動先エリアの移動確率を算出する。
【００２９】
ここで、移動先エリアの算出時における概念について説明する。図７は、携帯端末２００の移動経路を示す概念図である。図７に示されているように、携帯端末２００は、エリアＦを経由してエリアＡに移動する。携帯端末２００がエリアＡに移動したときに、情報配信装置１００は携帯端末２００の位置情報（エリアＡ）を受信する。情報配信装置１００が携帯端末から位置情報を受信すると、情報配信装置１００（移動確率算出部１０５）は、過去における他のユーザの移動履歴に基づいて、エリアＢ〜Ｆのうちどのエリアに移動したか、その移動頻度を抽出し、その結果に基づいて各移動先エリアへの移動確率を算出する。例えば、過去において、一のユーザと同じまたは近似する属性の他のユーザがエリアＢ、エリアＣ、エリアＤに移動した場合には、それぞれのエリアへの移動頻度を抽出し、上記他のユーザの総数で除算することで移動確率を算出することになる。
【００３０】
なお、移動確率算出部１０５については、以下の通り、その所定のエリアまでの移動経路をさらに考慮して移動確率を算出するようにしても良い。すなわち、この変形例における移動確率算出部１０５は、エリア情報記憶部１０２に記憶されているエリア情報、位置情報記憶部１０３に記憶されている位置情報に基づいて、一のユーザの移動経路を算出し、その移動経路、例えば直近３エリアの移動経路に基づいて、所定のエリアからどの移動先エリアに移動するか、その移動確率を算出する。
【００３１】
ここで、この変形例について移動確率算出の処理概念について説明する。図９は、移動経路に基づいて移動確率を算出しようとするときの処理概念を示す説明図である。
【００３２】
図９に示すように、携帯端末２００を保持するユーザＸは、エリアＨからエリアＡに移動した。ユーザＸが移動することができるエリアには、エリアＢ〜エリアＧがある。この変形例においては、移動確率算出部１０５は、エリアＡから直近２エリアの移動経路であるエリアＨ、Ｅ、Ａといった順に移動してきた移動経路と同じ経路を通った他のユーザのうち、さらに同じ属性を有するユーザがエリアＡからどのエリアに移動したか、そのユーザおよびエリアＡからの移動先エリアを抽出する。例えば、エリアＨ、Ｅ、Ａといった順に移動した他のユーザＹ（図示せず）は、エリアＡに移動したとし、さらにその他のユーザＹがユーザＸと同じ属性（例えば、同じ性別である場合、同じ居住地である場合）であった場合には、ユーザＹの移動経路は、ユーザＸの移動確率を算出する際の母集団に入る。このようにエリアＡまで同じ移動経路をとり、さらに同じ属性を有するユーザすべての移動経路を抽出し、ユーザＸがどの経路に移動するか、その移動確率を算出する。
【００３３】
これは、同じ移動経路を通ってきたユーザのうち、同じ属性のユーザは、同じような経路をとるものと思われるためである。また、移動する方向によって、その移動先エリアも変わるのが通常である。例えば、ユーザＸがエリアＥからエリアＡに移動した場合、つぎに移動するエリアとして、エリアＥに戻ることは通常考えにくい。逆に、エリアＧからエリアＡに移動した場合には、エリアＥに移動することは十分に考えられる。このように、ユーザ属性とともに判断対象となるエリアまでの移動経路に基づいて、移動先エリアを判断することにより、適切な移動確率を算出することができる。
【００３４】
移動先エリア抽出部１０６は、移動確率算出部１０５により算出された移動確率にしたがって、上位の移動先エリアを抽出する部分である。例えば、移動確率が２０％以上の移動先エリアを抽出するとか、移動確率が上位３位以内の移動先エリアを抽出するなどの、所定の条件を用いて移動先エリアを絞り込む処理を行う。
【００３５】
エリア除外部１０７は、位置情報記憶部１０３に記憶されている位置情報およびエリア情報記憶部１０２に記憶されているエリア情報に従って、上記一のユーザが過去に滞在したことがある過去エリアを抽出し、その過去エリアを移動先エリア抽出部１０６により抽出されたエリアから除外する部分である。すなわち、エリア除外部１０７は、一のユーザに対応するユーザＩＤの位置情報を位置情報記憶部１０３から抽出し、その位置情報に対応する過去エリアを特定し、特定した過去エリアを、移動先エリア抽出部１０６により抽出されたエリアから除外する。なお、エリア除外部１０７は、特定した過去エリアに隣接する隣接エリアを含めて除外するようにしてもよい。ユーザが滞在したことのある過去エリアに隣接する隣接エリアのレコメンド情報もユーザは受け取っている可能性があるためである。
【００３６】
なお、エリア除外部１０７は、測定時刻が所定時間前のエリアに対しては、除外の対象としないようにし、すなわち、測定時刻から所定時間内に滞在したことのあるエリアのみを除外するようにしてもよい。この場合、例えば直近の数時間に滞在したことのあるエリアは、すでにレコメンド情報をユーザは受け取っている可能性が高いため、そのエリアのレコメンド情報を配信しないようにすることは、ユーザおよび情報提供者の双方にとって望ましい。なお、所定時間内に限っている理由としては、レコメンド情報が更新される可能性が低いためである。逆に、所定時間より前にエリアにいた場合には、そのエリアに対するレコメンド情報は更新されている可能性があるため、そのレコメンド情報はユーザが受け取ることにメリットはある。
【００３７】
また、エリア除外部１０７は、時間を基準にせずに、移動エリア数に基づいて過去エリアを除外するか否かを判断するようにしてもよい。すなわち、直前の数エリアまで（例えば、直前エリアと、その前のエリア）に対しては、過去エリアとして扱い、移動先エリア抽出部１０６により抽出されたエリアから除外するようにし、それ以前のエリアに対しては、過去エリアとは扱わずに、除外しないようにしてもよい。
【００３８】
レコメンド情報生成部１０８は、エリア除外部１０７により除外されて得られたエリアに対応したレコメンド情報を生成する部分であり、すなわち移動先エリアに対応する全レコメンド情報から配信済みのレコメンド情報（既配信情報）が除外されたレコメンド情報を生成する。このレコメンド情報生成部１０８は、移動確率算出部１０５により算出された移動確率にしたがってレコメンド情報を生成するようにしてもよい。例えば、移動確率が所定値以上である場合には、詳細なレコメンド情報を生成し、移動確率が所定値未満である場合には、タイトルだけなどの簡易なレコメンド情報を生成するようにしてもよい。
【００３９】
配信部１０９は、レコメンド情報生成部１０８により生成されたレコメンド情報を、一のユーザ宛に（携帯端末２００）に配信する部分である。なお、携帯端末２００から通知される位置情報が十分に蓄積されていない場合には、レコメンド情報生成部１０８において有効なレコメンド情報を生成できない場合が考えられる。このような不具合を回避するために、情報配信装置１００のシステム管理者がデフォルトのレコメンド情報を予め設定し、デフォルト記憶部（図示せず）に記憶させておき、システムの立上げ段階など、十分な位置情報の蓄積が無い段階では、予め設定されたデフォルトのレコメンド情報を配信部１０９が配信するように構成してもよい。これにより、システムの立上げ段階において、配信する情報が存在しないという不都合を回避でき、適切なレコメンド情報を配信することが可能となる。
【００４０】
以上のように構成された情報配信装置１００の動作について説明する。図８は、情報配信装置１００の動作を示すフローチャートである。
【００４１】
滞在エリア受信部１０１により一のユーザの携帯端末２００から位置情報が受信される（Ｓ１０１）。そして、移動確率算出部１０５によりエリア間の移動確率が算出され（Ｓ１０２）、移動先エリア抽出部１０６によりその移動確率にしたがってエリア候補としていくつかのエリアが絞られる（Ｓ１０３）。エリア候補が抽出されると、エリア除外部１０７により、一のユーザが滞在したことのある過去エリア（およびその隣接エリア）が、エリア候補から除外される（Ｓ１０４）。そして、除外されて得られたエリアに基づいてレコメンド情報、例えば広告情報が生成され（Ｓ１０８）、生成されたレコメンド情報は配信部１０９により一のユーザの携帯端末２００に配信される（Ｓ１０９）。
【００４２】
つぎに、本実施形態の情報配信装置１００の作用効果について説明する。情報配信装置１００における移動確率算出部１０５および移動先エリア抽出部１０６は、所定エリアに滞在している携帯端末２００の保持者であるユーザのユーザ属性を抽出し、抽出されたユーザ属性に基づいて、所定エリアから移動する可能性のある移動先エリアを抽出する。すなわち、移動確率算出部１０５は、携帯端末２００の位置情報、エリア情報、および属性情報に従って、携帯端末２００のユーザと同じ属性または近似する属性をもつ他のユーザの位置情報に従った移動履歴を抽出し、その移動履歴に基づいて所定のエリアから他のエリアに移動する移動確率を算出する。そして、移動先エリア抽出部１０６は、移動確率が所定以上のエリアまたは上位所定以内のエリアをエリア候補として抽出する。
【００４３】
そして、エリア除外部１０７は、移動先エリア抽出部１０６により抽出された移動先エリアから、過去に滞在したことのあるエリアを除外し、レコメンド情報生成部１０８は除外後のエリアに対応するレコメンド情報を生成する。配信部１０９は、生成されたレコメンド情報を携帯端末２００に対して配信する。このようにして、携帯端末２００が滞在するエリアに対応して定められた全レコメンド情報から携帯端末２００に対して配信済みのレコメント情報を除外して生成されたレコメンド情報を配信する。これにより、配信先となる移動機が移動先エリアに行ったことがあるなど、すでにレコメンド情報を受け取った場合には同じレコメンド情報を受け取ることがなくなり、重複したレコメンド情報を何度も得るなどの無駄なことを防止することができる。
【００４４】
なお、本実施形態では、配信対象となるエリアから、一のユーザが過去に滞在したことのあるエリアを除外し、その除外後のエリアに基づいて一のユーザに対してレコメンド情報を配信する処理を行っているが、これに限定するものではない。すなわち、例えば、移動先エリア抽出部１０６により抽出されたエリアに対応するレコメンド情報をレコメンド情報生成部１０８は生成し、そのレコメンド情報がすでに一のユーザに配信されていた場合には、そのレコメンド情報（既配信情報）を除外するようにしてもよい。その場合には、ユーザごとに配信済みのレコメンド情報（既配信情報）を記憶しておく必要がある。
【００４５】
また、情報配信装置１００において、携帯端末２００が予め定めた時間内に滞在したことのあるエリアを除外することにより、携帯端末２００において重複したレコメンド情報を受け取ることを効率的に防止することができる。すなわち、レコメンド情報は時間経過とともに更新されるものであるため、直前に滞在したことがあるエリアに対応するレコメンド情報はすでに受け取っている可能性が高い。逆にある程度時間が経過した場合にはレコメンド情報は更新され、その内容が変わっている場合がある。その場合には、携帯端末２００においてはレコメンド情報を受けることが好ましいため、所定時間内にいたことのあるエリアに対応するレコメンド情報を配信しないようにする。
【００４６】
また、情報配信装置１００において、エリア除外部１０７は、携帯端末２００の移動履歴において滞在したことのあるエリアのうち、直前所定数のエリアである直前エリアを除外するようにしてもよい。これにより、時間で制限をかけた場合と同様の効果、すなわち重複したレコメンド情報を受け取ることを効率的に防止することができる。
【００４７】
また、レコメンド情報生成部１０８は、移動確率算出部１０５により算出された移動確率にしたがって、レコメンド情報を生成するようにしてもよい。例えば、レコメンド情報生成部１０８は、移動確率算出部１０５により算出された移動確率が所定値以上である場合には、移動する確率が高いと考えることができ、より詳細な情報をユーザに提供することができるように詳細なレコメンド情報を生成する。移動確率が所定値未満である場合には、移動確率がそれほど高くないと考えることができ、レコメンド情報のタイトル、見出しなどの簡易な情報のみを生成する。よって、めりはりのつけたレコメンド情報を生成することで、ユーザにとって有効な情報を少ない情報量で効率的に生成することができる。
【００４８】
また、移動確率算出部１０５は、ユーザ属性に加えて、さらに所定エリアまでの移動経路に基づいて所定エリアから移動する可能性のある移動先エリアにおける移動確率を算出することが好適である。これにより、より正確な移動先エリアを判断し、よってより正確ない動確率を算出することができる。
【図面の簡単な説明】
【００４９】
【図１】情報配信装置１００を含んだ通信システムのシステム構成を示すブロック図である。
【図２】情報配信装置１００の構成を示すブロック図である。
【図３】情報配信装置１００のハードウェア構成図である。
【図４】エリア情報記憶部１０２に記憶されているエリア情報の説明図である。
【図５】位置情報記憶部１０３に記憶されている位置情報の説明図である。
【図６】属性情報記憶部１０４に記憶されている属性情報の説明図である。
【図７】携帯端末２００の移動経路を示す概念図である。
【図８】情報配信装置１００の動作を示すフローチャートである。
【図９】変形例における携帯端末２００の移動経路を示す概念図である。
【符号の説明】
【００５０】
１００…配信装置、１０１…滞在エリア受信部、１０２…エリア情報記憶部、１０３…位置情報記憶部、１０４…属性情報記憶部、１０５…移動確率算出部、１０６…移動先エリア抽出部、１０７…エリア除外部、１０８…レコメンド情報生成部、１０９…配信部。
【図１】
2009118470.tif 000003
【図２】
2009118470.tif 000004
【図３】
2009118470.tif 000005
【図４】
2009118470.tif 000006
【図５】
2009118470.tif 000007
【図６】
2009118470.tif 000008
【図７】
2009118470.tif 000009
【図８】
2009118470.tif 000010
【図９】
2009118470.tif 000011